(57)【要約】      （修正有）【課題】フロートが破損した場合でも浮力を維持できる浮体の改良構造を有するフロートを提供する。【解決手段】収容空間１１を有し水中に浮上する浮力を有するチャンバー１０と、収容空間１１内に配設され、穿孔の位置が互いに対応する２つの穿孔を有する複数の浮体２０と、各浮体２０の２つの穿孔を貫通して各浮体２０を直列に連結する連結ロープ３０とを含むことを特徴とする。これにより、チャンバー１０が損傷した場合には、別個の浮体２０がチャンバー１０から逃げることがなく、浮体２０を収容空間１１に保持することができるので、フロートの浮力を維持させることができる。【選択図】図４
0003219353.tif 000002
【実用新案登録請求の範囲】
【請求項１】
浮体の改良構造を有するフロートであって、
収容空間を有し、水中に浮上する浮力を有するチャンバーと、
前記収容空間内に配設され、穿孔の位置が互いに対応する２つの穿孔を有する複数の浮体と、
各前記浮体の２つの穿孔を貫通して各前記浮体を直列に連結する連結ロープと、を含むことを特徴とする、
浮体の改良構造を有するフロート。
【請求項２】
前記チャンバーは、プラスチックの可撓性材料で製作されていることを特徴とする、請求項１に記載の浮体の改良構造を有するフロート。
【請求項３】
各前記浮体は、プラスチック製の中空球体であることを特徴とする、請求項１に記載の浮体の改良構造を有するフロート。
【請求項４】
浮体の改良構造を有するフロートであって、
収容空間を有し、水中に浮上する浮力を有するチャンバーと、
前記収容空間内に配設され、それぞれ穿設部を有し、前記穿設部に１つの貫通孔を備えた複数の浮体と、
各前記浮体の貫通孔を貫通して各前記浮体を直列に連結する連結ロープと、を含むことを特徴とする、
浮体の改良構造を有するフロート。
【請求項５】
前記チャンバーは、プラスチックの可撓性材料で製作されていることを特徴とする、請求項４に記載の浮体の改良構造を有するフロート。
【請求項６】
各前記浮体は、プラスチック製の中空球体であることを特徴とする、請求項４に記載の浮体の改良構造を有するフロート。
【請求項７】
前記穿設部は、ハンドル状を呈することを特徴とする、請求項４に記載の浮体の改良構造を有するフロート。
【考案の詳細な説明】
【技術分野】
【０００１】
本考案はフロートに係り、特に浮体の改良構造を有するフロートに関する。
【背景技術】
【０００２】
通常、フロートは長時間水中に置かれ、風や日光にさらされ、長時間が経つと、破損してしまう可能性があり、さらに海水がフロート内に浸入し、フロートが保有する浮体機能を失う原因となる。  図１には、公知の一種の浮体を内含するフロートを示す。
【０００３】
このフロート７０は、ケーシング７１を有する。ケーシング７１は、収容空間７２を取り囲んでいる。収容空間７２内には、複数の補助浮体８０が設けられている。前記補助浮体８０は、プラスチック製の中空ボールであり、浮体機能を有し、  これにより、ケーシング７１が破損して海水が収容空間７２内に浸入しても、これらの補助浮体８０は依然としてその役割を果たすことができ、フロート７０は一定程度の浮力を保持するようになる。
【０００４】
しかし、公知の浮体を内含するフロートが破損する場合は、もともと収容空間７２に収容されていた補助浮体８０がフロート７０から離脱した後、海洋に流入して海洋汚染を引き起こし、しかもフロートの有するべき浮力を損なう。したがって、浮体の改良構造を有するフロートが必要となる。
【考案の概要】
【考案が解決しようとする課題】
【０００５】
本考案が解決しようとする課題は、主にフロートが破損の際に浮力を維持できる、浮体の改良構造を有するフロートを提供することにある。
さらに、本考案が解決しようとする他の課題は、より環境にやさしい浮体の改良構造を有するフロートを提供することにある。
【課題を解決するための手段】
【０００６】
本考案の浮体の改良構造を有するフロートは、収容空間を有し、水中に浮上する浮力を有するチャンバーと、前記収容空間内に配設され、穿孔の位置が互いに対応する２つの穿孔を有する複数の浮体と、各前記浮体の２つの穿孔を貫通して各前記浮体を直列に連結する連結ロープとを含むことを特徴とする。
【０００７】
また、本考案の別の実施形態に係る浮体の改良構造を有するフロートは、収容空間を有し、水中に浮上する浮力を有するチャンバーと、前記収容空間内に配設され、それぞれの穿設部を有し、前記穿設部に１つの貫通孔を備えた複数の浮体と、各前記浮体の貫通孔を貫通して各前記浮体を直列に連結する連結ロープとを含むことを特徴とする。
【考案の効果】
【０００８】
本考案の浮体の改良構造を有するフロートは少なくとも次のような効果を奏することができる。
（１）本考案は、チャンバー内に配設された複数の浮体を連結ロープで直列に連結することにより、チャンバーが破損した場合でもチャンバーから各浮体が移出することがなく、各浮体を収容空間内に保持することができるので、フロートは浮力を維持することができる。
（２）個別の浮体をチャンバーが逃がさないため、プラスチック製の浮体が海洋を汚染するという問題が大幅に低減される。
【図面の簡単な説明】
【０００９】
【図１】公知の一種の浮体を内含するフロートを示す横断面図である。
【図２】本考案の第１の実施形態の浮体の説明図である。
【図３】本考案の第２の実施形態の浮体の説明図である。
【図４】本考案の浮体を内含するフロートを示す横断面図である。
【考案を実施するための形態】
【００１０】
以下に図面を参照しながら本考案を実施するための最良の形態について詳述する。
【００１１】
[第１の実施形態]
図２と図４に示すように、本考案の浮体の改良構造を有するフロートの第１の実施形態では、チャンバー１０と、複数の浮体２０と、連結ロープ３０とを含む。このチャンバー１０は、プラスチック製の可撓性材料からなり、全体として浮力を有する収容空間１１を有し、水中に浮上可能である。
【００１２】
複数の浮体２０は、前記チャンバー１０の収容空間１１に配設されており、各浮体２０は、プラスチック製の中空球体である。各前記浮体２０には、２つの穿孔２１がそれぞれ設けられており、２つの前記穿孔は位置が互いに対応している。
【００１３】
連結ロープ３０は、各前記浮体２０の２つの穿孔２１を貫通して、浮体２０を直列に連結する。
【００１４】
[第２の実施形態]
図３と図４は、本考案の浮体の改良構造を有するフロートの第２の実施形態を示すものである。この実施形態では、チャンバー１０と、複数の浮体２０と、連結ロープ３０とを含む。チャンバー１０は収容空間１１を有し、プラスチック製の可撓性材料からなり、全体として浮力を有し、水中にフロートすることができる。
【００１５】
複数の浮体２０は、チャンバー１０の収容空間１１に配設され、各浮体２０は、プラスチック製の中空球体であり、各浮体２０は、穿設部２２をそれぞれ有する。穿設部２２はハンドル状（又は手提げ状）を呈し、前記穿設部２２には貫通孔２２１を備える。
【００１６】
連結ロープ３０は、各浮体２０の貫通孔２２１を貫通して各浮体２０を直列に連結する。
【００１７】
本考案は、チャンバー１０内に配設された複数の浮体２０を連結ロープ３０で直列に連結することにより、チャンバー１０が破損した場合でも、チャンバー１０から各浮体２０が移出することがなく、各浮体２０を収容空間１１内に保持することができるので、フロートは浮力を維持することができる。
【００１８】
また、個別の浮体２０をチャンバーが逃がさないため、プラスチック製の浮体２０が海洋を汚染するという問題が大幅に低減される。
【００１９】
本考案は、浮体の改良構造を有するフロートに適用することができる。
【符号の説明】
【００２０】
７０    フロート
７１    ケーシング
７２    収容空間
８０    補助浮体
１０    チャンバー
１１    収容空間
２０    浮体
２１    穿孔
２２    穿設部
２２１  貫通孔
３０    連結ロープ
【図１】
0003219353.tif 000003
【図２】
0003219353.tif 000004
【図３】
0003219353.tif 000005
【図４】
0003219353.tif 000006